(57)【要約】      （修正有）【課題】３つの機能を果たすことができる簡単な編針を提供する。【解決手段】編機用編針１０は、針かぎ１２を備えた針幹１１及びその上側に設けられて針１０を動かすための少なくとも１つの駆動バット１５を有するものにおいて、１つの駆動バット１５のみが、編針１０の針かぎ１２とは反対の端部に設けられ、ばね力に抗して下降せしめられた位置から少なくとも１つの上昇せしめられた位置へ、又は上昇せしめられた位置から少なくとも１つの下降せしめられた位置へ可動する。【選択図】図１ａ
2011226054.tif 000002
【特許請求の範囲】
【請求項１】
編機用編針であって、針かぎ（１２）を備えた針幹（１１，２１，３１，４１，５１，６１，７１）及びその上側に設けられて針（１０〜７０）を動かすための少なくとも１つの駆動バット（１５，２５，３５，４５，５５，６５，７５）を有するものにおいて、１つの駆動バット（１５，２５，３５，４５，５５，６５，７５）のみが、編針（１０，２０，３０，４０，５０，６０，７０）の針かぎ（１２）とは反対の端部に設けられ、ばね力に抗して下降せしめられた位置から少なくとも１つの上昇せしめられた位置へ、又は上昇せしめられた位置から少なくとも１つの下降せしめられた位置へ可動であることを特徴とする、編針。
【請求項２】
駆動バット（１５，２５，３５，４５，５５，６５，７５）が、その最も下降せしめられた位置において、針幹（１１，２１，３１，４１，５１，６１，７１）を越えて上方へ突出していないことを特徴とする、請求項１に記載の編針。
【請求項３】
駆動バット（１５，２５，３５，４５，５５，６５，７５）が、少なくとも最も上昇せしめられた位置において、針幹（１１，２１，３１，４１，５１，６１，７１）を越えて上方へ突出していることを特徴とする、請求項１又は２に記載の編針。
【請求項４】
駆動バット（１５，２５，３５，４５）が針幹（１１，２１，３１，４１）の弾性部分（１４，２４，３４，４４）に設けられていることを特徴とする、請求項１〜３の１つに記載の編針。
【請求項５】
針幹（５１，６１，７１）に関節結合される揺動素子（５６，６６，７６）に駆動バット（５５，６５，７５）が支持され、揺動素子がばね力とは逆の方向に針幹（５１，６１，７１）に対して揺動可能であることを特徴とする、請求項１〜３の１つに記載の編針。
【請求項６】
ばね力が針幹（５１）の弾性部分（５４）により発生可能であることを特徴とする、請求項５に記載の編針。
【請求項７】
ばね力が揺動素子（６６，７６）の弾性部分（６４，７４）により発生可能であることを特徴とする、請求項５に記載の編針。
【請求項８】
針幹（４１，７１）が、少なくともその１つの運動方向において駆動バット（４５，５５，７５）の運動を限定するストッパ（４７，４８；４３ａ，７８ａ）を持っていることを特徴とする、請求項１〜７の１つに記載の編針。
【発明の詳細な説明】
【技術分野】
【０００１】  本発明は、編機用編針であって、針かぎを備えた針幹及びその上側に設けられて針を動かすための少なくとも１つの駆動バットに関する。
【背景技術】
【０００２】  最近の編機では、編針により３つの機能を満たすことができる。即ち編目の形成、タックループの挿入及び不動作位置における保持である。これらの機能は、編針と針床を越えて摺動する編成システムとの共同作用によって得られ、編成システムにより針選択が行われ、行うべき所望の機能に従って針が駆動される。その際編針の駆動バットは、編成システムにある異なるカム曲線路に係合する。【０００３】  編針の３つの異なる機能を保証する可能性は、いわゆる押圧カムの使用である。針床から上方へ突出する編針又は編針に結合される駆動素子の駆動バットは、カム曲線路をバットが通過する間に選ばれた個所で、針床へ押込まれ、従ってカムとの係合を外される。押圧の解消により対応する駆動バットが針床から再び浮上して、カムに再び係合することができる。その際駆動バットを一部だけ針床へ押戻すことも可能なので、他のカム部分により駆動バットを捕捉し、編針の引続く機能を実現することができる。構造が複雑な押圧カムの使用は、編針のほかに、同様に駆動バットを備えた駆動素子の使用も必要にする。更に針長手方向に強い荷重がかかると、編針が意に反して針床へ没入する危険があり、誤動作を生じる。【０００４】  押圧カムを使用するほかに、上昇カムの使用も公知である。ここでは編針又は付属する駆動素子の駆動バットがまず針床へ沈下せしめられ、カム通路の所定の個所で針床から上昇せしめられる。こうして駆動バットを異なるカム曲線路に係合させることができる。カム通過後駆動バットが積極的に針床へ押戻されて、係合を解除される。このような上昇カムは例えば欧州特許第０１８９６０２号明細書に記載されている。上昇カムを使用する場合の欠点は、カム通過後針バットを積極的に針床へ押戻さねばならず、それにより個々の編成システムの間に大きい間隔が生じることである。更に針床への望ましくない下降を防止するため、カム通過中に若干個所で針バットを下から支持せねばならない。上昇カムに関連して、ばね力により駆動バットが針床内へ下降せしめられる編針の使用も公知である。しかしこれらの編針に、編針を歯口へ戻す第２の駆動バットを設けねばならない。これらの公知の編針は従って比較的長く、それにより針長手方向における針床の適当な大きさが必要になる。【０００５】  中国特許出願公開第１０１３１４８８７号明細書から公知の別の編成カムでは、編針又は付属する駆動素子が異なる個所で動作可能である。このカムでは、編針のほかに駆動素子が必ず必要である。駆動素子は弾性的応力のかかる位置へもたらされて固定される。カム通路の所定の個所で素子の固定が解消される。その場合素子の応力が駆動バットをカムに係合させる。残る残留応力が、カム通過中における駆動バットの没入を防止する。しかしこの残留ばね力は僅かである。なぜならば、カム通過後に駆動素子の必要な再度の固定の際、この残留ばね力に更に打勝たねばならないからである。【０００６】  最後に欧州特許出願公開第１５６９０６５号明細書から公知の編針は、１つの駆動バットのみを持っているが、針幹全体は可撓性素子として構成されている。しかしこの構成により、編針は側方負荷の際ねじれ易く、更にこの編針でも針床へ駆動バットの予��しない下降も起こることがある。
【発明の概要】
【発明が解決しようとする課題】
【０００７】  本発明の基礎になっている課題は、簡単に構成され、かつ３つの機能の１つすなわち編目の形成、タックループの挿入又は不動作保持を選択的に実施するため、針床に付加的な駆動素子なしに、編成システムにより駆動可能な編機用編針を提供することである。
【課題を解決するための手段】
【０００８】  編機用編針であって、針かぎを備えた針幹及びその上側に設けられて針を動かすための少なくとも１つの駆動バットを有するものにおいて、１つの駆動バットのみが、編針の針かぎとは反対の端部に設けられ、ばね力に抗して下降せしめられた位置から少なくとも１つの上昇せしめられた位置へ、又は上昇せしめられた位置から少なくとも１つの下降せしめられた位置へ可動であることによって、課題が解決される。【０００９】  この編針の針幹は少なくとも大部分曲げ剛性のある材料から製造され、それにより必要な安定性を持つことができる。ただ１つの駆動バットを設けることによって、編針は構造が簡単であり、比較的小さい長さを持っている。駆動バットの一方の終端位置を編針自体に生じるばね力が取るので、駆動バットを１つの運動方向へ積極的に駆動しさえすればよい。従って編針のために、針床に設けるべき少数の駆動素子しか必要でない。これは、針長手方向における針床の比較的狭い構造を可能にする。編針を駆動するための編成カムも比較的簡単な構造を持つことができる。１つの駆動バットのみが作用を受ける。更に針長手方向に対して直角な駆動バットの１つの運動方向をばね力が引受け、従って積極的に開始する必要がない。押圧カム又は上昇カムを使用する必要がない。【００１０】  好ましい構成では、駆動バットが、その最も下降せしめられた位置において、針幹又は針床を越えて上方へ突出していないようにすることができる。従ってこの位置で編針の駆動バットはカム部分により捕捉されない。他方駆動バットが、少なくとも最も上昇せしめられた位置において、針幹又は針床を越えて上方へ突出しているので、駆動バットはカム部分により捕捉可能である。更に駆動バットの最も上昇せしめられた位置と最も下降せしめられた位置との間の中間位置へ駆動バットをもたらすことも可能で、この位置で駆動バットが同様に針幹を越えて上方へ突出する。【００１１】  編針の構造は異なるように構成することができる。第１の変形例では、駆動バットが針幹の弾性部分に設けられている。従って編針は１つの部分から構成することができる。針幹は弾性範囲以外では曲げ剛性を持つように構成可能なので、編針の必要な機械的安定性は保証されている。【００１２】  別の構成では、針幹に関節結合される揺動素子に駆動バットが支持され、揺動素子がばね力とは逆の方向に針幹に対して揺動可能である。編針のこの２部分構成も、駆動バットの所望の移動を可能にする。その際ばね力が針幹の弾性部分により発生可能であるか、又はばね力が揺動素子の弾性部分により発生可能である。【００１３】  針幹が、少なくともその１つの運動方向において駆動バットの運動を限定するストッパを持っていると、別の利点が生じる。このようなストッパは、駆動バットが所定の終端位置を取ることができるようにし、針幹の弾性部分を持つ編針では、同時に弾性部分の安定化に役立つ。【００１４】  図面により、本発明による編針の種々の実施例が以下に説明される。すべての図は、それぞれ１つの編針が挿入されている針溝の範囲における針床の断面図を示す。
【図面の簡単な説明】
【００１５】
【図１ａ】  上昇せしめられた駆動バットを持つ第１の編針を有する針床の針溝の断面図を示す。
【図１ｂ】  下降せしめられた駆動バットを持つ第１の編針を有する針床の針溝の断面図を示す。
【図２ａ】  下降せしめられた駆動バットを持つ第２の編針を有する針床の針溝の断面図を示す。
【図２ｂ】  上昇せしめられた駆動バットを持つ第２の編針を有する針床の針溝の断面図を示す。
【図３ａ】  下降せしめられた駆動バットを持つ第３の編針を有する針床の針溝の断面図を示す。
【図３ｂ】  上昇せしめられた駆動バットを持つ第３の編針を有する針床の針溝の断面図を示す。
【図４ａ】  上昇せしめられた駆動バットを持つ第４の編針を有する針床の針溝の断面図を示す。
【図４ｂ】  下降せしめられた駆動バットを持つ第４の編針を有する針床の針溝の断面図を示す。
【図５ａ】  上昇せしめられた駆動バットを持つ第５の編針を有する針床の針溝の断面図を示す。
【図５ｂ】  下降せしめられた駆動バットを持つ第５の編針を有する針床の針溝の断面図を示す。
【図６ａ】  上昇せしめられた駆動バットを持つ第６の編針を有する針床の針溝の断面図を示す。
【図６ｂ】  下降せしめられた駆動バットを持つ第６の編針を有する針床の針溝の断面図を示す。
【図７ａ】  上昇せしめられた駆動バットを持つ第７の編針を有する針床の針溝の断面図を示す。
【図７ｂ】  下降せしめられた駆動バットを持つ第７の編針を有する針床の針溝の断面図を示す。
【発明を実施するための形態】
【００１６】  図１ａ，１ｂには、他のすべての図におけるように、針底を形成する針床１１０の部分及び覆い条片１１０が示され、覆い条片１１０は、図１ａ，１ｂにおいて針底から編針１０が離れるのを防止する役割を持っている。編針１０は、前方端部に針かぎ１２を備えた針幹１１を持っている。針幹１１はその後方端部にほぼＵ字状の形状を持ち、下部脚辺１３も残りの針幹１１と同様に曲げ剛性を持つように構成されている。これに反し上部脚辺１４は弾性的に構成されている後方端部には駆動バット１５が設けられて、図１ａに示す負荷されない位置で針幹１１及び覆い条片１１０を越えて上方へ突出し、従って針床を越えて動かされる図示しない編成カムにより捕捉されることができる。
【００１７】  図１ｂでは、力Ｆにより下方へ動かされる駆動バット１５を持つ編針１０が示されている。この下降せしめられた位置で、駆動バット１５もはや針幹１１従って針床を越えて突出せず、それによりカム曲線路へ係合せしめられない。弾性脚辺１４は下方へ曲げられ、それにより予荷重をかけられる。力Ｆの作用が終わると、脚辺１４は再び図１ａに示す位置を取り、この位置で駆動バット１５が上昇せしめられている。
【００１８】  図２ａ，２ｂには、再び後方端部に設けられて駆動バット２５を有する弾性脚辺２４を持つ針幹２１を持つ編針１０に全く類似な編針２０が示されている。従って編針２０は、編針１０と同様に１つの部分から構成されている。しかしここでは弾性脚辺２４は荷重を除かれた状態で下方へ曲げられており、即ち駆動バット２５はこの位置で針床内へ下降せしめられ、針床２１を越えて上方へ突出していない。図２に示すように下からのばね力Ｆにより、駆動バット２５を上昇位置へもたらすことができる。この位置で、駆動バットが編成カムにより捕捉可能である。力Ｆの作用が終了すると、駆動バット２５を持つ脚辺２４が再び図２ａに示す位置へ下降する。
【００１９】  図３ａ，３ｂは、弾性脚辺３４を持つ針幹３１を有する１つの部分から成る第３の編針３０を示し、脚辺３４の後方端部に駆動バット３５が設けられている。図３ａに示す荷重を除かれた状態では、脚辺３４は下方へ曲げられ、即ち駆動バット３５は下降位置にある。ここでは針床１００′がその後方縦縁に面取り部１２０を持ち、駆動バット３５の下方部分３６がこの面取り部上に支持されている。図３ｂに示すように、編針３０全体が矢印３７の方向に前方へ移動されると、面取り部１２０が駆動バット３５を持ち上げるので、駆動バットをカム曲線路が捕捉することができる。上昇せしめられた位置で、駆動バット３５の部分３６が針床１００′の針底上にあるので、駆動バット３５が針床内への予期しない下降を防止されている。矢印３７の方向とは逆に編針３０が再び後方へ移動されると脚辺３４のばね応力により、編針３０が再び図３ａに示す位置を取り、駆動バット３５が下降せしめられる。
【００２０】  図４ａ，４ｂには、本発明による別の１つの部分から成る編針４０が示されている。この編針４０の針幹４１は、その後方範囲に弾性部分４４を持ち、弾性部分４４がその端部に駆動バット４５を持っている。弾性部分４４は、編針４０では剛性的に構成される２つの脚辺４３及び４６の間に設けられ、これらの脚辺がその後方端部にそれぞれ弾性部分４４用のストッパ４７，４８を持っている。弾性部分４４の図４ａに示す応力を除かれた状態で、この弾性部分が脚辺４６のストッパ４７に当たっている。駆動バット４５は上昇せしめられた位置にあり、針床から上方へ突出している。上から駆動バット４５を押すことにより、これを図４ｂに示す位置へもたらすことができる。弾性部分４４は今や脚辺４３のストッパ４８に当たる。この位置で駆動バット４５はもはや針幹４１を越えて上方へ突出せず、従って編成カムによりもはや捕捉されない。
【００２１】  弾性部分４４の応力を除かれた位置は下方へ曲げられた位置でもあり、即ち駆動バット４５は下降位置にある。下から駆動バット４５を押すことにより、駆動バット４５は図４ｂに相当する位置から図４ａによる位置へもたらされる。
【００２２】  図５ａ，５ｂは、２つの部分から構成される編針５０の実施例を示す。針幹５１は再び後部範囲に弾性部分５４を持っている。しかし編針の駆動バット５５はもはや弾性部分５４に設けられているのではなく、枢着個所５７で針幹５１に結合されている別個の揺動素子５６に設けられている。揺動素子５６の部分５８は更に弾性部分５４の外側端部を包囲している。応力を除かれた状態で弾性部分５４は、図５ａに示す位置をとり、この位置で編針５０に駆動バット５５が上昇せしめられている。これに反し図５ｂは、下降位置にある駆動バット５５を示す。この位置で弾性部分５４は揺動素子５６により応力をかけられる。
【００２３】  弾性部分５４の応力を除かれた位置は、下方へ曲げられた位置であってもよいので、駆動バット５５は下降位置にある。駆動バット５５を下から押すことにより、これを図５ａに示す位置へもたらすことができる。
【００２４】  図６ａ，６ｂは２つの部分から成る編針６０の別の例を示し、駆動バット６５は再び揺動素子６６に設けられている。揺動素子６６は、針幹６１の２つの曲げ剛性を持つ２つの脚辺６３，６８の間の枢着個所６７に揺動可能に支持されている。この編針の針幹６１全体が曲げ剛性を持つように構成されている。ばね力は、同様に針幹の両方の脚辺６３と６８との間に導入されてこれらの脚辺６３，６８の間に支持される揺動素子６６の弾性部分６４により発生される。図６ａに示すばね素子６４の応力を除かれた位置で、駆動バット６５が上昇位置にある。これに反し図６ｂは、下降位置にある駆動バット６５を示す。揺動素子６６は下方へ揺動されている。ばね素子６４は上方へ湾曲し、それにより予荷重をかけられて、駆動バット６５への力の作用の終了後駆動バット６５を再び上昇した初期位置へもたらすことができる。
【００２５】  この場合もばね素子６５の応力を除かれた位置は上方へ湾曲していてもよいので、駆動バット６５は下降位置にある。駆動バット６５を下から押すことにより、駆動バットを図６ａに示す位置へもたらすことができる。
【００２６】  図７ａ，７ｂは編針６０に類似な２つの部分から成る編針７０を示し、編針７０の両方の剛性脚辺７３及び７８がそれぞれ揺動素子７６用のストッパ７３ａ，７８ａを持っているという点で、この編針７０は編針６０と相違している。図７ａに示す応力を除かれた状態で、揺動素子７６に設けられるばね素子７４が上方へ曲げられているので、揺動素子７６がストッパ７８ａに当たり、駆動バット７５が針床から上昇せしめられている。駆動バット７５を押すことにより、これが図７ｂに示すように下降せしめられる。揺動素子７６はストッパ７３ａに当たるまで下方へ揺動する。ばね素子７４は上方へ曲げられ、それにより予荷重をかけられて、駆動バット７５に対する力の作用の終了後これをその上昇せしめられた初期位置へもたらすことができる。
【００２７】  しかしばね素子７４の応力を除かれた位置は、上方へ曲げられた位置であってもよく、この位置で駆動バット７５は下降位置にある。下から駆動バット７５を押すことにより、これを図７ａに示す位置へもたらすことができる。
【００２８】  図示した編針１０〜７０は舌針である。編針を複合針として構成できることは明らかである。
【図１ａ】
2011226054.tif 000003
【図１ｂ】
2011226054.tif 000004
【図２ａ】
2011226054.tif 000005
【図２ｂ】
2011226054.tif 000006
【図３ａ】
2011226054.tif 000007
【図３ｂ】
2011226054.tif 000008
【図４ａ】
2011226054.tif 000009
【図４ｂ】
2011226054.tif 000010
【図５ａ】
2011226054.tif 000011
【図５ｂ】
2011226054.tif 000012
【図６ａ】
2011226054.tif 000013
【図６ｂ】
2011226054.tif 000014
【図７ａ】
2011226054.tif 000015
【図７ｂ】
2011226054.tif 000016